(57)【要約】【課題】電気温水器から洗面器に固定された複数の水栓へ温水を供給するに際して、キャビネットの高さに制限がある場合であっても、キャビネット内部の収納空間を広く確保することのできる電気温水器内蔵型の洗面キャビネットを提供すること。【解決手段】洗面器の下部にキャビネットを備え、そのキャビネット内に電気温水器を収納し、この電気温水器から洗面器に固定された複数の水栓へ温水を供給する電気温水器内蔵型の洗面キャビネットにおいて、キャビネットの天板に固定された分岐継手を備え、分岐継手は、電気温水器の出湯口に連通連絡した縦方向の入湯パイプと、入湯パイプと連通し天板と略平行に左右に突設した左右分岐出湯パイプとを備え、左右分岐出湯パイプは、天板と略平行に配設した水栓ホースを介して洗面器における複数の水栓と連通連絡している。【選択図】図２
2009072466.tif 000002
【特許請求の範囲】
【請求項１】
洗面器の下部にキャビネットを備え、そのキャビネット内に電気温水器を収納し、この電気温水器から前記洗面器に固定された複数の水栓へ温水を供給する電気温水器内蔵型の洗面キャビネットにおいて、
前記キャビネットの天板に固定された分岐継手を備え、
前記分岐継手は、前記電気温水器の出湯口に連通連絡した縦方向の入湯パイプと、前記入湯パイプと連通し前記天板と略平行に左右に突設した左右分岐出湯パイプとを備え、
前記左右分岐出湯パイプは、前記天板と略平行に配設した水栓ホースを介して前記洗面器における前記複数の水栓と連通連絡していることを特徴とする電気温水器内蔵型の洗面キャビネット。
【請求項２】
前記分岐継手は、前記キャビネットの左右方向の略中央部に固定すると共に、前記分岐継手と前記複数の水栓との間に介設した前記水栓ホースは、可撓性を有することを特徴とする請求項１に記載の電気温水器内蔵型の洗面キャビネット。
【請求項３】
前記左右分岐出湯パイプは、前記入湯パイプの上部から左右に分岐した上方左右分岐管と、前記入湯パイプにおける前記上方左右分岐管よりも下部から横方向に分岐した下方分岐管とよりなり、
しかも、前記下方分岐管と前記洗面器の略中央の水栓との間には、少なくとも折り返し部が前記天板と略平行に配置される水栓ホースを介設したことを特徴とする請求項１又は請求項２に記載の電気温水器内蔵型の洗面キャビネット。
【請求項４】
前記水栓ホースの中途は、ホース固定用のクリップを介して前記天板に固定可能に構成したことを特徴とする請求項１〜３のいずれか１項に記載の電気温水器内蔵型の洗面キャビネット。
【発明の詳細な説明】
【技術分野】
【０００１】
本発明は、電気温水器内蔵型の洗面キャビネットに関し、特に、キャビネット内の収納空間を広く確保することのできる電気温水器内蔵型の洗面キャビネットに関するものである。
【背景技術】
【０００２】
従来より、洗面器の下部にキャビネットを備え、そのキャビネット内に電気温水器を収納し、この電気温水器から洗面器に固定された複数の水栓へ温水を供給する電気温水器内蔵型の洗面キャビネットが知られている。
【０００３】
かかる従来の洗面キャビネットにおいて、複数の水栓へ温水を供給する構成の一例として、電気温水器のケーシング内における貯湯タンクの上方に分岐継手を設け、この分岐継手を介して電気温水器と複数の水栓とを連通連絡する構成がある（特許文献１参照）。
【特許文献１】特開２００３−３３６９０３号公報
【発明の開示】
【発明が解決しようとする課題】
【０００４】
しかしながら、上記した従来の洗面キャビネットでは、分岐継手を含めた電気温水器の外観寸法、特に、分岐継手を含めた高さ方向の寸法が大きくなり、この電気温水器をキャビネットの内部に設置するには、キャビネット自体の高さ寸法を大きくする必要があり、例えば、幼児向けなどのようにキャビネットの高さ方向に制限がある場合には適していない。
【０００５】
この場合、キャビネットの高さを抑制するために、分岐継手を電気温水器のケーシングの側面に固定し、この分岐継手から水栓ホースを介して複数の水栓に連通連絡する構成とすることも考えられるが、この構成では、電気温水器をキャビネットの内部に設置するに際して分岐継手や水栓ホースが広い空間を占有してしまい、キャビネット内部の収納空間が狭くなってしまうという問題があった。
【０００６】
そこで、本発明は、電気温水器から洗面器に固定された複数の水栓へ温水を供給するに際して、キャビネットの高さに制限がある場合であっても、キャビネット内部の収納空間を広く確保することのできる電気温水器内蔵型の洗面キャビネットを提供することを目的とする。
【課題を解決するための手段】
【０００７】
上記目的を達成するため、請求項１に記載の発明は、洗面器の下部にキャビネットを備え、そのキャビネット内に電気温水器を収納し、この電気温水器から前記洗面器に固定された複数の水栓へ温水を供給する電気温水器内蔵型の洗面キャビネットにおいて、前記キャビネットの天板に固定された分岐継手を備え、前記分岐継手は、前記電気温水器の出湯口に連通連絡した縦方向の入湯パイプと、前記入湯パイプと連通し前記天板と略平行に左右に突設した左右分岐出湯パイプとを備え、前記左右分岐出湯パイプは、前記天板と略平行に配設した水栓ホースを介して前記洗面器における前記複数の水栓と連通連絡していることを特徴とする。
【０００８】
請求項２に記載の発明は、請求項１に記載の発明において、前記分岐継手は、前記キャビネットの左右方向の略中央部に固定すると共に、前記分岐継手と前記複数の水栓との間に介設した前記水栓ホースは、可撓性を有することを特徴とする。
【０００９】
請求項３に記載の発明は、請求項１又は請求項２に記載の発明において、前記左右分岐出湯パイプは、前記入湯パイプの上部から左右に分岐した上方左右分岐管と、前記入湯パイプにおける前記上方左右分岐管よりも下部から横方向に分岐した下方分岐管とよりなり、しかも、前記下方分岐管と前記洗面器の略中央の水栓との間には、少なくとも折り返し部が前記天板と略平行に配置される水栓ホースを介設したことを特徴とする。
【００１０】
請求項４に記載の発明は、請求項１〜３のいずれか１項に記載の発明において、前記水栓ホースの中途は、ホース固定用のクリップを介して前記天板に固定可能に構成したことを特徴とする。
【発明の効果】
【００１１】
請求項１に記載の発明によれば、洗面器の下部にキャビネットを備え、そのキャビネット内に電気温水器を収納し、この電気温水器から洗面器に固定された複数の水栓へ温水を供給する電気温水器内蔵型の洗面キャビネットにおいて、キャビネットの天板に固定された分岐継手を備え、分岐継手は、電気温水器の出湯口に連通連絡した縦方向の入湯パイプと、入湯パイプと連通し天板と略平行に左右に突設した左右分岐出湯パイプとを備え、左右分岐出湯パイプは、天板と略平行に配設した水栓ホースを介して洗面器における複数の水栓と連通連絡しているので、水栓ホースをキャビネットの天板に沿って配管することによって、キャビネットの高さに制限がある場合であっても、キャビネット内部の収納空間を広く確保することができる。
【００１２】
請求項２に記載の発明によれば、分岐継手は、キャビネットの左右方向の略中央部に固定すると共に、分岐継手と複数の水栓との間に介設した水栓ホースは、可撓性を有するので、可撓性の水栓ホースを適宜屈曲させることにより水栓ホースをキャビネットの天板により近接して配管することができ、キャビネットの高さに制限がある場合であっても、キャビネット内部の収納空間をより広く確保することができる。また、複数の水栓のうち少なくとも左右両端の水栓に接続する水栓ホースを全て同じ長さとすることができることから、配管の取り違えを回避することができ、水栓ホースの接続施工を容易に行うことができる。
【００１３】
請求項３に記載の発明によれば、左右分岐出湯パイプは、入湯パイプの上部から左右に分岐した上方左右分岐管と、前記入湯パイプにおける上方左右分岐管よりも下部から横方向に分岐した下方分岐管とよりなり、しかも、下方分岐管と洗面器の略中央の水栓との間には、少なくとも折り返し部が天板と略平行に配置される水栓ホースを介設したので、水栓ホースを蛇行してその折り返し部が天板と略平行となるように、天板に沿って配管することによって、キャビネットの高さに制限がある場合であっても、キャビネット内部の収納空間をより広く確保することができる。また、洗面器の略中央の水栓に接続する水栓ホースに無理な曲げがかかることを防ぐことができることから、下方分岐管と洗面器の略中央の水栓との間に介設される水栓ホースを含めた全ての水栓ホースを全て同じ長さとすることができ、結果として、水栓ホースの接続施工を容易に行うことができる。
【００１４】
請求項４に記載の発明によれば、水栓ホースの中途は、ホース固定用のクリップを介して天板に固定可能に構成したので、水栓ホースの配管に余りがあるときに、クリップにより水栓ホースの垂れ下がりを防ぐことによって、キャビネットの高さに制限がある場合であっても、キャビネット内部の収納空間を広く確保することができる。
【発明を実施するための最良の形態】
【００１５】
以下に、本発明の実施形態について図面を参照しながら説明する。なお、本実施形態では、電気温水器内蔵型の洗面キャビネットとして、幼児向け等のように、全体の高さが比較的に低く、高さ方向に一定の制限のある洗面キャビネットを例に挙げて説明するが、本発明は、これに限定されるものではなく、高さ方向に特に制限のない大人向けの洗面キャビネットに適用することができることは言うまでもない。
【００１６】
図１は、本発明の実施形態に係る電気温水器内蔵型の洗面キャビネットの概観を示す斜視図である。図２は、図１に示すキャビネットの内部構成を示す説明図であり、図２（ａ）は平面図、図２（ｂ）は正面図を示している。
【００１７】
図１及び図２に示すように、本実施形態に係る洗面キャビネット１は、上部に複数の水栓１２，１４，１６を固定した洗面器１０と、洗面器１０の下部に設けたキャビネット２０と、キャビネット２０内に収納された電気温水器３０と、キャビネット２０の天板２０ａに固定された後述の分岐継手４０とを備えている。なお、２０ｂは、キャビネット２０の前面に設けられた、開閉自在のいわゆる観音開き式の扉であり、２０ｃは、天板２０ａと一体に形成されキャビネット２０の外側面を覆い隠すように設けられた化粧板であり、キャビネット２０の内部構成の説明を簡単にするために、図２（ａ）では、洗面器１０、天板２０ａ、扉２０ｂ及び化粧板２０ｃの図示を省略し、図２（ｂ）では、洗面器１０及び扉２０ｂの図示を省略している。
【００１８】
洗面器１０は、中央部が凹状に窪んで下部に排水孔（図示せず）を有した陶器製の洗面器であり、洗面器１０の上部には、洗面器１０内に給水を行う３つの水栓１２，１４，１６が左右方向にほぼ等間隔で立設固定されている。なお、洗面器１０の下部には、排水栓（図示せず）が取付けられ、この排水栓と洗面器１０の排水孔とが、キャビネット２０内の排水トラップ（図示せず）を介して連通連結されており、排水孔からの排水を封水に用いつつ排水栓に排出するようになっている。
【００１９】
キャビネット２０は、複数のフレーム２１を組み合わせることによって、左右に延びた略矩形箱状に構成されており、その上部には、天板２０ａを載置固定し、さらに、この天板２０ａの上面に、洗面器１０を載置固定するようにしている。このキャビネット２０の高さは、平均的な幼児の腰部と略同一の所定の高さに設定されている。キャビネット２０の内部であって天板２０ａの下方には、天板２０ａ、扉２０ｂ及び化粧板２０ｃによって閉塞された収納空間２２が形成されている。
【００２０】
電気温水器３０は、キャビネット２０内の収納空間２２のうち正面視で左側空間に収納されている。この電気温水器３０は、略矩形箱状に形成したケーシング３１の内部に、貯湯タンク、電気ヒータ等を備え、貯湯タンク内に貯留される水を電気ヒータによって加熱し一定温度の湯とする。ケーシング３１の右側面下部には、Ｌ字状継手により構成された入水口３０ａが設けられており、この入水口３０ａと止水栓３２とは、可撓性の給水管３３を介して連通連結されている。一方、ケーシング３１の右側面上部には、Ｌ字状継手により構成された出湯口３０ｂが設けられており、この出湯口３０ｂと分岐継手４０の後述する入湯パイプ４１とは、可撓性の吐水管３４を介して連通連結されている。３２は、止水栓である。
【００２１】
そして、止水栓３２から給水される水は、給水管３３を通過して、入水口３０ａから電気温水器３０内の貯湯タンクに導かれ、電気ヒータで加熱されることによって温水となり、出湯口３０ｂ及び吐水管３４を通過して、分岐継手４０へ至る。
【００２２】
（分岐継手の構成について）
次に、キャビネット２０の天板２０ａに固定された分岐継手４０の構成について説明する。図３は、分岐継手４０を示す拡大斜視図である。
【００２３】
分岐継手４０は、電気温水器３０から供給される温水を３方向に分岐してそれぞれ３つの水栓１２，１４，１６に供給するものであり、図２及び図３に示すように、電気温水器３０の出湯口３０ｂに吐水管３４を介して連通連絡した縦方向の入湯パイプ４１と、入湯パイプ４１と連通し天板２０ａと略平行に左右に突設した左右分岐出湯パイプ４２とを備えている。なお、図２中、３４ａは、吐水管３４の終端部に設けられたカプラ式のソケットであり、図３中、４１ａは、入湯パイプ４１の下端部に形成されたプラグであり、プラグ４１ａをソケット３４ａに嵌挿することで吐水管３４と入湯パイプ４１とが接続されるようになっている。
【００２４】
左右分岐出湯パイプ４２は、入湯パイプ４１の上部から左右に分岐した上方左右分岐管４３，４４と、入湯パイプ４１において、前記上方左右分岐管よりも下部から横方向に分岐した下方分岐管４５とより構成されている。
【００２５】
すなわち、入湯パイプ４１の上端部には、水平に傾倒した中空円筒状の上部ジョイント金具４６が連設されており、この上部ジョイント金具４６を基端部として、上方左右分岐管４３，４４が左右にそれぞれ分岐突設されている。一方、入湯パイプ４１の下部側面には、右横方に延びた中空半円筒状の下部ジョイント金具４７が連設されており、この下部ジョイント金具４７を基端部として、下方分岐管４５が右横方に分岐突設されている。このように、上部ジョイント金具４６を介して上方左右分岐管４３，４４と入湯パイプ４１とが連結されると共に、下部ジョイント金具４７を介して下方分岐管４５と入湯パイプ４１とが連結されるので、溶接等により連結する際の取付強度や取付精度を向上することができ、上方左右分岐管４３，４４及び下方分岐管４５の天板２０ａに対する平行度を向上することができる。
【００２６】
また、上部ジョイント金具４６の上部周面には、略円柱状に形成された支柱４８が立設されており、支柱４８の上端部には、薄板状に形成された固定用プレート４９が載置固定されている。分岐継手４０を天板２０ａに固定する際には、固定用プレート４９の上面４９ａを天板２０ａに当接した状態で、図示しないビス等によって固定する。このように、固定用プレート４９によって分岐継手４０を天板２０ａに固定するため、分岐継手４０の固定後のぐらつきを防止し安定性を向上することができ、その結果、分岐継手４０に対する配管作業の施工性を向上することができる。
【００２７】
なお、図３中、４３ａ，４４ａ，４５ａは、上方左分岐管４３、上方右分岐管４４、下方分岐管４５の先端部にそれぞれ形成されたプラグであり、図２中、４３ｂ，４４ｂ，４５ｂは、後述の水栓ホース５２，５４，５６の始端部にそれぞれ設けられたカプラ式のソケットであり、プラグ４３ａ，４４ａ，４５ａをソケット４３ｂ，４４ｂ，４５ｂにそれぞれ嵌挿することにより、水栓ホース５２，５４，５６と上方左分岐管４３、上方右分岐管４４、下方分岐管４５とがそれぞれ互いに接続される。
【００２８】
（分岐継手を用いた配管構成について）
次に、本実施形態に係る洗面キャビネット１における分岐継手４０を用いた配管構成について説明する。
【００２９】
本実施形態に係る洗面キャビネット１では、図２に示すように、キャビネット２０の天板２０ａに分岐継手４０を固定し、この分岐継手４０の左右分岐出湯パイプ４２は、水栓ホース５２，５４，５６を介して洗面器１０における３つの水栓１２，１４，１６とそれぞれ連通連絡するように構成している。水栓ホース５２，５４，５６は可撓性を有しており、本実施形態では、水栓ホース５２，５４，５６を天板２０ａと略平行に配設することにより、電気温水器３０から洗面器１０に固定された３つの水栓１２，１４，１６へ温水を供給する配管経路をキャビネット２０の天板２０ａに沿った配管経路としており、この配管経路がキャビネット２０の収納空間２２のうち特に上方スペースに集中するようにしている。
【００３０】
具体的には、分岐継手４０は、キャビネット２０の左右方向の略中央部に固定される。言い換えると、分岐継手４０は、キャビネット２０の収納空間２２のうち電気温水器３０の右側面近傍の位置であって洗面器１０の略中央の水栓１４の直下方に位置するように、天板２０ａに固定される。これにより、分岐継手４０と洗面器１０の左側端の水栓１２との間の距離、及び、分岐継手４０と洗面器１０の右側端の水栓１６との間の距離とをほぼ等しくし、水栓ホース５２，５６の長さを略同一とすることができるようにし、その結果、水栓ホース５２，５６の間での取り付け間違いを回避している。
【００３１】
また、上方左分岐管４３と洗面器１０の左側の水栓１２とは水栓ホース５２を介して正面視で略Ｌ字状に接続されている。すなわち、水栓ホース５２は、その始端が上方左分岐管４３と接続され、上方左分岐管４３の延在方向に沿って収納空間２２の内部を左方へ延び、天板２０ａと電気温水器３０との間の空間を天板２０ａと近接しつつ略平行となるように通過し、水栓１２の直下方位置で直角方向（縦方向）に屈曲して立ち上がり、天板２０ａに設けられた透孔（図示せず。）を通過して収納空間２２の外部へ延出し、その終端が水栓１２の下端部に接続されている。
【００３２】
水栓ホース５２の中途は、ホース固定用のクリップ５８を介して天板２０ａに固定可能に構成している。クリップ５８としては、図２に示すように、天板２０ａに直接固定するものに限らず、例えば、天板２０ａに所定の吊上部材を介して吊設するものでもあっても良い。このように、クリップ５８を介して水栓ホース５２を天板２０ａに固定することにより、水栓ホース５２の垂れ下がりを防ぐことができる。
【００３３】
一方、上方右分岐管４４と洗面器１０の右側の水栓１６とは水栓ホース５６を介して正面視で略Ｌ字状に接続されている。すなわち、水栓ホース５６は、その始端が上方右分岐管４４と接続され、上方右分岐管４４の延在方向に沿って収納空間２２の内部を右方へ延び、収納空間２２の内部を天板２０ａと近接しつつ略平行となるように通過し、水栓１６の直下方位置で直角方向（縦方向）に屈曲して立ち上がり、天板２０ａに設けられた透孔（図示せず）を通過して収納空間２２の外部へ延出し、その終端が水栓１６の下端部に接続されている。
【００３４】
さらに、下方分岐管４５と洗面器１０の略中央の水栓１４とは水栓ホース５４を介して蛇行状に接続されている。下方分岐管４５と水栓１４との間に介設された水栓ホース５４は、少なくとも折り返し部５４ａが天板２０ａと略平行に配置されるように構成されている。すなわち、水栓ホース５４は、その始端が下方分岐管４５と接続され、下方分岐管４５の延在方向に沿って収納空間２２の内部を右方へ延び、収納空間２２の内部を天板２０ａと近接しつつ略平行となるように通過し、水栓１６の直下方位置よりも左側（電気温水器３０側）で収納空間２２の奥側に向けて水平方向に屈曲した略Ｕ字状の折り返し部５４ａを形成し、水栓１４の直下方位置で直角方向（縦方向）に屈曲して立ち上がり、その終端が水栓１４の下端部に接続されている。この水栓ホース５４の取り回しにより、水栓ホース５４に無理な曲げがかかることを防ぐと共に、下方分岐管４５と洗面器１０の略中央の水栓１４との間に介設される水栓ホース５６を含めた全ての水栓ホース５２，５４，５６を全て同じ長さとすることができ、各水栓ホース５２，５４，５６の間での取り付け間違いを回避している。なお、図２中、１２ａ、１４ａ，１６ａは、各水栓１２，１４，１６の下端部と水栓ホース５２，５４，５６の終端部とを接続するための袋ナットである。
【００３５】
このように、本実施形態では、キャビネット２０の天板２０ａに分岐継手４０を固定し、この分岐継手４０の左右分岐出湯パイプ４２は、天板２０ａと略平行に配設した水栓ホース５２，５４，５６を介して洗面器１０における複数の水栓１２，１４，１６と連通連絡しているので、水栓ホース５２，５４，５６をキャビネット２０の天板２０ａに沿って配管することができる。このため、電気温水器３０から洗面器１０に固定された３つの水栓１２，１４，１６へ至るまでの配管経路をキャビネット２０の収納空間２２のうち特に上方スペースに集中することができる。したがって、幼児向け等のように、高さが相対的に低く、キャビネット２０の高さ方向に一定の制限のある場合であっても、キャビネット２０の収納空間２２のうち下方スペースを可及的に広く確保することができる。
【００３６】
しかも、分岐継手４０は、キャビネット２０の左右方向の略中央部に固定すると共に、分岐継手４０と３つの水栓１２，１４，１６との間に介設した水栓ホース５２，５４，５６は、可撓性を有するので、可撓性の水栓ホース５２，５４，５６を適宜屈曲させることによりこの水栓ホース５２，５４，５６をキャビネット２０の天板２０ａに対してより近接して配管することができ、キャビネット２０の収納空間２２のうち下方スペースをより広く確保することができる効果がある。さらに、３つの水栓１２，１４，１６のうち少なくとも左右両端の水栓１２，１６に接続する水栓ホース５２，５６を全て同じ長さとすることができ、水栓ホース５２，５６との間での取り違えを回避し水栓ホース５２，５６の接続施工を容易に行うことができる効果がある。
【００３７】
また、下方分岐管４５と洗面器１０の略中央の水栓１４との間には、少なくとも折り返し部５４ａが天板２０ａと略平行に配置される水栓ホース５４を介設したので、水栓ホース５４を蛇行してその折り返し部５４ａが天板２０ａと略平行となるように、天板２０ａに沿って配管することによって、キャビネット２０内部の収納空間２２をより広く確保することができる。また、洗面器１０の略中央の水栓１４に接続する水栓ホース５４に無理な曲げがかかることを防ぎつつ水栓ホース５４を配管することで、下方分岐管４５と洗面器１０の略中央の水栓１４との間に介設される水栓ホース５４を含めた全ての水栓ホース５２，５４，５６を全て同じ長さとすることができ、結果として、水栓ホースの接続施工を容易に行うことができる。
【００３８】
（洗面キャビネットの施工方法）
ここで、上記のように構成した電気温水器内蔵型の洗面キャビネット１の施工方法について簡単に説明する。
【００３９】
本実施形態に係る電気温水器内蔵型の洗面キャビネット１では、止水栓３２から供給される水を電気温水器３０を経て、温水として、３つの水栓１２，１４，１６へと供給するように構成されているが、その配管施工は、温水の供給される順序と逆の順序で行われる。すなわち、下流側の水栓１２，１４，１６から上流側の止水栓３２に向けて配管施工が行われる。
【００４０】
具体的には、まず、複数のフレーム２１を略矩形箱状に組み合わせ、その上部に天板２０ａを載置して、化粧板２０ｃを取り付けることによって、キャビネット２０を組み立てる。これにより、キャビネット２０の内部であって天板２０ａの下方に、収納空間２２を形成する。
【００４１】
次に、キャビネット２０の天板２０ａに分岐継手４０を固定する。すなわち、分岐継手４０がキャビネット２０の左右方向の略中央部となるように、固定用プレート４９を天板２０ａに固定する。一方、各水栓１２，１４，１６を洗面器１０に固定すると共に、各水栓１２，１４，１６の下端部と各水栓ホース５２，５４，５６の終端部とを袋ナット１２ａ，１４ａ，１６ａを介して水密状態に接続する。
【００４２】
次に、キャビネット２０の天板２０ａに洗面器１０を載置固定する。この際、各水栓ホース５２，５４，５６の始端部を、天板２０ａの透孔（図示せず）に挿通して、各水栓ホース５２，５４，５６を、各水栓１２，１４，１６の下端部から収納空間２２へ向いた垂下状態とする。
【００４３】
次に、垂下状態の水栓ホース５２，５４，５６のうち、左側の水栓ホース５２を、左側の水栓１２の直下方位置で略Ｌ字状に屈曲、すなわち、水平方向右側に屈曲させ、その始端部に設けられたソケット４３ｂを上方左分岐管４３の先端部に形成されたプラグ４３ａに嵌着して接続すると共に、右側の水栓ホース５６を、右側の水栓１６の直下方位置で略Ｌ字状に屈曲、すなわち、水平方向左側に屈曲させ、その始端部に設けられたソケット４４ｂを上方右分岐管４４の先端部に形成されたプラグ４４ａに嵌着して接続する。さらに、中央の水栓ホース５４を、中央の水栓１４の直下方位置で収納空間２２の手前側に向けて水平方向に屈曲して略Ｕ字状の折り返し部５４ａを形成し、その始端部に設けられたソケット４５ｂを下方分岐管４５の先端部に形成されたプラグ４５ａに嵌着して接続する。そして、水栓ホース５２の中途を、クリップ５８を介して天板２０ａに固定し、水栓ホース５２の垂れ下がりを防ぐ。
【００４４】
次に、電気温水器３０の出湯口３０ｂと吐水管３４の始端部とを接続すると共に、電気温水器３０の入水口３０ａと給水管３３の終端部とを接続した後、この電気温水器３０を、キャビネット２０内の収納空間２２のうち正面視で左側空間に収納する。
【００４５】
最後に、吐水管３４の終端部に設けられたソケット３４ａを入湯パイプ４１の下端部に形成されたプラグ４１ａに嵌着して接続すると共に、給水管３３の始端部を止水栓３２に接続する。
【００４６】
このように、本実施形態の洗面キャビネット１では、キャビネット２０の天板２０ａに分岐継手４０を固定し、この分岐継手４０を中心として配管を行うことから、下流側の水栓１２，１４，１６から上流側の止水栓３２に向けた配管施工を容易に行うことができる。
【００４７】
特に、分岐継手４０を天板２０ａに固定することにより、狭い収納空間２２において、施工者は、分岐継手４０に対して正面を向き、視線を可及的に高くした楽な姿勢で、水栓１２，１４，１６などへの接続作業を行うことができることから、接続作業に伴う疲労感を可及的に緩和することができる。
【００４８】
なお、本実施形態では、水栓ホース５２の中途を、クリップ５８を介して天板２０ａに固定したが、他の水栓ホース５４，５６の中途を、クリップ５８を介して天板２０ａに固定することにより、水栓ホース５４，５６の垂れ下がりを防ぐようにすることもできる。この場合、キャビネット２０内部の収納空間２２をより広く確保することができる。
【００４９】
以上本発明の好ましい実施の形態について説明したが、本発明はかかる特定の実施形態に限定されるものではなく、特許請求の範囲に記載された本発明の要旨の範囲内において、種々の変形・変更が可能である。
【００５０】
例えば、本実施形態では、分岐継手４０の左右分岐出湯パイプ４２を３つの水栓１２，１４，１６に分岐接続する構成としたが、水栓の数は、これに限られず２つの水栓を備えた構成や、その逆に４つ以上の水栓を備えた構成としても良い。２つの水栓を備えた構成では、分岐継手４０の左右分岐出湯パイプ４２のうち、下方分岐管４５を設けない構成とすることができる。４つ以上の水栓を備えた構成では、分岐継手４０の入湯パイプ４１から分岐管を左右に適宜分岐した構成とすることができる。
【００５１】
本発明の実施の形態に記載された効果は、本発明から生じる最も好適な効果を列挙したに過ぎず、本発明による効果は、実施の形態に記載されたものに限定されるものではない。
【図面の簡単な説明】
【００５２】
【図１】本発明の実施形態に係る電気温水器内蔵型の洗面キャビネットの概観を示す斜視図である。
【図２】図１に示す洗面キャビネットの内部構成を示す説明図である。
【図３】図１に示す洗面キャビネットが備えた分岐継手を示す拡大斜視図である。
【符号の説明】
【００５３】
１                洗面キャビネット
１０              洗面器
１２，１４，１６  水栓
２０              キャビネット
２０ａ            天板
３０              電気温水器
４０              分岐継手
４１              入湯パイプ
４２              左右分岐出湯パイプ
４３，４４        上方左右分岐管
４５              下方分岐管
５２，５４，５６  水栓ホース
【図１】
2009072466.tif 000003
【図２】
2009072466.tif 000004
【図３】
2009072466.tif 000005